(57)【要約】【課題】リチウム化水蒸気などの湿潤ガスを長期間に亘って安定して乾燥処理することが可能な簡易な除湿装置の駆動方法及び除湿装置システムを提供する。【解決手段】除湿装置１０内に湿潤ガスを導入し、高分子透過膜１９によって前記湿潤ガス中の水分を選択的に除去して得た乾燥ガスの少なくとも一部から構成されるパージガスの流量Ｆ２と、前記パージガスによって排出される前記水分を含む高湿潤ガス及び前記パージガスから構成される高湿潤排出ガスの流量Ｆ１を監視することにより、除湿装置１０の乾燥状態を監視する。【選択図】        図１
2004188361.tif 000002
【特許請求の範囲】
【請求項１】
水蒸気選択透過性を有する高分子透過膜を具える除湿装置の駆動方法であって、
前記除湿装置内に湿潤ガスを導入し、前記高分子透過膜によって前記湿潤ガス中の水分を選択的に除去して得た乾燥ガスを前記除湿装置から排出する工程と、
前記乾燥ガスの少なくとも一部を前記除湿装置内にパージガスとして導入し、前記水分を含む高湿潤ガスを前記除湿装置から排出する工程と、
前記高湿潤ガスを含む高湿潤排出ガスの流量Ｆ１及び前記パージガスの流量Ｆ２を監視することにより、前記除湿装置の乾燥状態を監視する工程と、
を具えることを特徴とする、除湿装置の駆動方法。
【請求項２】
前記高湿潤排出ガスの流量Ｆ１と前記パージガスの流量Ｆ２との差分（Ｆ１−Ｆ２）を監視することを特徴とする、請求項１に記載の除湿装置の駆動方法。
【請求項３】
前記湿潤ガスの圧力を制御することによって、前記除湿装置の乾燥状態を制御する工程を具えることを特徴とする、請求項１又は２に記載の除湿装置の駆動方法。
【請求項４】
前記湿潤ガスの圧力を増大させることによって、前記除湿装置の乾燥状態を所定のレベル以下に保持するようにしたことを特徴とする、請求項３に記載の除湿装置の駆動方法。
【請求項５】
前記除湿装置の、前記高湿潤排出ガスの出力側の圧力を制御することによって、前記除湿装置の乾燥状態を制御する工程を具えることを特徴とする、請求項１〜４のいずれか一に記載の除湿装置の駆動方法。
【請求項６】
前記除湿装置の、前記高湿潤排出ガスの出力側の圧力を減少させることによって、前記除湿装置の乾燥状態を所定のレベル以下に保持するようにしたことを特徴とする、請求項５に記載の除湿装置の駆動方法。
【請求項７】
前記パージガスの流量Ｆ２を制御することによって、前記除湿装置の乾燥状態を制御する工程を具えることを特徴とする、請求項１〜５のいずれか一に記載の除湿装置の駆動方法。
【請求項８】
前記パージガスの流量Ｆ２を増大させることによって、前記除湿装置の乾燥状態を所定のレベル以下に保持するようにしたことを特徴とする、請求項７に記載の除湿装置の駆動方法。
【請求項９】
前記除湿装置の使用に際し、前記除湿装置に対して乾燥処理を施すことを特徴とする、請求項１〜８のいずれか一に記載の除湿装置の駆動方法。
【請求項１０】
前記乾燥処理は、前記除湿装置内に所定の乾燥ガスを流すことによって実施することを特徴とする、請求項９に記載の除湿装置の駆動方法。
【請求項１１】
前記除湿装置内の露点を−７０℃以下とすることを特徴とする、請求項４〜１０のいずれか一に記載の除湿装置の駆動方法。
【請求項１２】
前記湿潤ガスはトリチウム化水蒸気であることを特徴とする、請求項１〜１１のいずれか一に記載の除湿装置の駆動方法。
【請求項１３】
水蒸気選択透過性を有する高分子透過膜を含む除湿装置と、
前記除湿装置内に湿潤ガスを導入し、前記高分子透過膜によって前記湿潤ガス中の水分を選択的に除去して得た乾燥ガスの少なくとも一部から構成されるパージガスの流量Ｆ２、及び前記パージガスによって排出される前記水分を含む高湿潤排出ガスの流量Ｆ１を監視するモニタリング手段と、
を具えることを特徴とする、除湿装置システム。
【請求項１４】
前記除湿装置内の露点が所定温度以下に設定されたことを特徴とする、請求項１３に記載の除湿装置システム。
【請求項１５】
前記除湿装置内の露点が−７０℃以下に設定されたことを特徴とする、請求項１４に記載の除湿装置システム。
【発明の詳細な説明】
【０００１】
【発明の属する技術分野】
本発明は、トリチウム化水蒸気などの湿潤ガスなどに対して好適に用いることのできる、除湿装置の駆動方法及び除湿装置システムに関する。
【０００２】
【従来の技術】
従来、空気中に含まれるトリチウム（三重水素）を除去する方法としては、トリチウムを酸化して水の化学形態に変換してトリチウム化水蒸気を得た後、吸湿剤（一般的にはモレキュラシーブを適用）で前記トリチウム化水蒸気を吸着除去する方法が一般的に用いられている。しかしながら、このような吸湿剤を用いる方法では、前記吸湿剤の吸着水量の増加とともに除湿性能が低下するため、定期的に乾燥して再生することが不可欠となる。したがって、前記トリチウム化水蒸気を連続的に処理するためには、２組の吸湿剤（２塔の吸湿塔）が必要となり、装置システム全体をコンパクト化することは困難であった。
【０００３】
また、上述したように、吸湿剤に対する乾燥再生を繰り返すと前記吸湿剤が徐々に劣化し、前記吸湿剤を定期的に交換する必要があった。そして、このような除湿装置システムを用いてトリチウム化水蒸気を処理すると、吸湿剤中には前記トリチウムが保持されるようになるため、前記吸湿剤は放射性固体廃棄物として処理しなければならなくなり、廃棄物処理への負担がさらに増大してしまうという結果になってしまっていた。
【０００４】
【発明が解決しようとする課題】
本発明は、トリチウム化水蒸気などの湿潤ガスを長期間に亘って安定して乾燥処理することが可能な簡易な除湿装置の駆動方法及び除湿装置システムを提供することを目的とする。
【０００５】
【課題を解決するための手段】
上記目的を達成すべく、本発明は、
水蒸気選択透過性を有する高分子透過膜を具える除湿装置の駆動方法であって、
前記除湿装置内に湿潤ガスを導入し、前記高分子透過膜によって前記湿潤ガス中の水分を選択的に除去して得た乾燥ガスを前記除湿装置から排出する工程と、
前記乾燥ガスの少なくとも一部を前記除湿装置内にパージガスとして導入し、前記水分を含む高湿潤ガスを前記除湿装置から排出する工程と、
前記高湿潤ガスを含む高湿潤排出ガスの流量Ｆ１及び前記パージガスの流量Ｆ２を監視することにより、前記除湿装置の乾燥状態を監視する工程と、
を具えることを特徴とする、除湿装置の駆動方法に関する。
【０００６】
また、本発明は、
水蒸気選択透過性を有する高分子透過膜を含む除湿装置と、
前記除湿装置内に湿潤ガスを導入し、前記高分子透過膜によって前記湿潤ガス中の水分を選択的に除去して得た乾燥ガスの少なくとも一部から構成されるパージガスの流量Ｆ２、及び前記パージガスによって排出される前記水分を含む高湿潤排出ガスの流量Ｆ１を監視するモニタリング手段と、
を具えることを特徴とする、除湿装置システムに関する。
【０００７】
近年においては、中空糸高分子膜を内部を含む除湿装置が開発され、実用化されるに至っている。しかしながら、このような除湿装置の露点は−４０℃程度であり、トリチウム化水蒸気などの湿潤ガスに対する十分な除湿能力を有していなかった。
【０００８】
かかる点に鑑み、本発明者らは前記除湿装置の性能評価及び駆動方法についての検討を種々行った結果、前記除湿装置の使用に際して、所定の乾燥ガスを前記除湿装置内に流すことによって、前記除湿装置の露点を当初の段階で−７０℃程度まで低下させて、乾燥できることを見出した。しかしながら、このような初期設定を実施した後、前記除湿装置を実用に供するようにすると、前記除湿装置内が湿潤し、露点が直ちに上昇して除湿能力が急激に劣化してしまうことを見出した。
【０００９】
したがって、前記除湿装置を実用に供するためには、前記除湿装置の駆動中における乾燥状態を常に監視するとともに、その乾燥状態を常に保持できるような方法を見出すことが必要であり、かかる方法を見出すべく鋭意検討した。その結果、前記除湿装置に供給するパージガスの流量と前記除湿装置から排出される高湿潤排出ガスの流量とが、前記除湿装置の乾燥状態と密接に関係していることを見出し、上述したような本発明の除湿装置の駆動方法及び駆動装置システムを見出したものである。
【００１０】
上述した本発明の駆動方法及び駆動システムによれば、除湿装置から排出された高湿潤排出ガスの流量Ｆ１及びパージガスの流量Ｆ２を監視するという極めて簡易な方法で、前記除湿装置の乾燥状態を監視することができる。したがって、前記除湿装置の乾燥状態を駆動中に亘って常に簡易に監視することができるようになる。その結果、このような監視情報に基づいて何らかの乾燥手段を施すようにすれば、前記除湿装置の乾燥状態を駆動中に亘って常に保持できるようになる。
【００１１】
前記除湿装置の乾燥状態を保持するに際しては、例えば前記除湿装置に供給して処理すべき湿潤ガスの圧力、前記除湿装置の、高湿潤排出ガスの出力側の圧力又は前記除湿装置に供給すべきパージガスの流量を制御することによって行うことができる。具体的には、前記湿潤ガスの圧力を増大させることにより、前記出力側の圧力を低下させることにより、又前記パージガスの流量を増大させることにより、前記除湿装置内の露点を低下させて、乾燥させることができるようになる。
【００１２】
【発明の実施の形態】
以下、本発明を発明の実施の形態に則して詳細に説明する。
図１は、本発明の除湿装置システムにおける除湿装置近傍の状態を示す構成図であり、図２は、図１に示す除湿装置の内部構造を詳細に示す構造図である。図１に示すように、除湿装置１０の導入口１１から湿潤ガスを矢印Ａで示すようにして導入すると、前記湿潤ガスは除湿装置１０の内部に設けられた中空糸からなる高分子透過膜１９を通過することによって水分のみが選択的に除去され、その結果得られた乾燥ガスが矢印Ｂで示すように除湿装置１０の排出口１２より排出される。前記乾燥ガスの乾燥度合いは露点計１５による露点の計測によって知ることができる。
【００１３】
前記乾燥ガスの少なくとも一部は、矢印Ｃで示すようにパージガスとして導入口１３から除湿装置１０内の高分子透過膜１９の外方に再度導入される。高分子透過膜１９によって前記湿潤ガスから除去された水分を含む高湿潤ガスは、前記パージガスとともに高湿潤排出ガスとして排出口１４より外部へ排出される。
【００１４】
本発明においては、流量計１６及び１７を用いることにより、除湿装置１０内の乾燥状態を前記パージガスの流量Ｆ２及び前記高湿潤排出ガスの流量Ｆ１を監視することによって監視する。
【００１５】
流量Ｆ１及びＦ２を別個に監視することもできるが、これらの流量は除湿装置１０内の乾燥状態に対してほぼ同程度に関係しているものであるため、前記流量の差分（Ｆ１−Ｆ２）を監視することが好ましい。これによって、監視するパラメータ量を２つから１つに削減することができるため、除湿装置１０内の乾燥状態をより簡易に監視できるようになる。
【００１６】
以上のようにして除湿装置１０の乾燥状態を監視していると、その乾燥状態に応じて前記差分（Ｆ１−Ｆ２）が変化するが、除湿装置１０内を所定の乾燥状態に保持するためには何らかの手段を施すことにより、除湿装置１０内の乾燥状態を制御することが必要になる。本発明の除湿装置システムにおいては、その具体的な手段としては、除湿装置１０内に供給するパージガスの流量Ｆ２、除湿装置１０への湿潤ガスの供給圧力、除湿装置１０の、高湿潤排出ガスの排出側、すなわち排出口１４近傍における圧力を例示することができる。
【００１７】
例えば、図１に示す除湿装置システムを長時間使用することにより、除湿装置１０内の乾燥状態が低下してくると、除湿装置１０による乾燥能力が低下してくるから、排出口１４より排出される高湿潤排出ガスの排出量（流量Ｆ１）が減少してくる。その結果、監視パラメータである差分（Ｆ１−Ｆ２）が減少してくる。このとき、前記パージガスの流量Ｆ２を増大させる、あるいは前記湿潤ガスの供給圧力を増大させる、又は除湿装置１０の、高湿潤排出ガスの排出側の圧力を低下させると、除湿装置１０内部は当初の乾燥状態を回復し、差分（Ｆ１−Ｆ２）が当初の値を回復して、当初の乾燥能力を呈するようになる。
【００１８】
なお、図１に示す除湿装置システムを使用する際には、使用に先立って除湿装置１０に対して乾燥処理を施すことが好ましい。これによって、除湿装置システムの使用開始直後から、上述した乾燥状態制御手段を施すことによる使用終了時までの期間において、除湿装置１０内に乾燥状態を高レベルに維持することができる。例えば、除湿装置１０内の露点が−７０℃以下であるような高乾燥状態を長期に亘って維持することができる。
【００１９】
前記乾燥処理は、いかなる手段を用いても行うことができるが、例えば乾燥空気などの所定の乾燥ガスを所定時間流すことによって簡易に乾燥処理を遂行することができる。
【００２０】
本発明の方法及びシステムは、如何なる種類の湿潤ガスに対しても用いることができるが、特に従来乾燥処理が困難であったトリチウム化水蒸気などの乾燥処理に対して好ましく用いることができる。
【００２１】
図３は、本発明の除湿装置システムの変形例である。図３に示すシステムにおいては、２組の除湿装置が連結されており、後段の除湿装置において最終的な乾燥ガスを得るようにしている。前段の除湿装置２０においては、矢印Ｆに示すように所定の湿潤ガスを導入口２１から内部に導入した後、内部に設置された高分子透過膜によって水分のみが除去され、得られた乾燥ガスは排出口２２より矢印Ｇで示すように排出される。
【００２２】
前記乾燥ガスの少なくとも一部は矢印Ｈで示すように導入口２３よりパージガスとして再度除湿装置２０内に導入され、前記水分を含んだ高湿潤ガスとともに高湿潤排出ガスとして排出口２４より外部へ排出される。なお、導入すべきパージガスの流量は流量計２６によって制御される。
【００２３】
次いで、除湿装置２０から排出された乾燥ガスは露点計３５によって露点測定が行われた後、矢印Ｊで示すように導入口３１から除湿装置３０内部に導入される。前記乾燥ガスは除湿装置３０内部に設置された高分子透過膜によってさらに水分除去された後、矢印Ｋで示すように排出口３２より外部へ排出される。排出された乾燥ガスの乾燥度合いは、露点計３６による露点測定より見積もることができる。そして、得られた乾燥ガスの少なくとも一部は、矢印Ｌで示すように導入口３３からパージガスとして再度除湿装置３０内に導入され、前記水分を含んだ高湿潤ガスとともに高湿潤排出ガスとして排出口３４から外部へ排出される。
【００２４】
除湿装置３０においては、流量計３７及び３８で前記パージガスの流量Ｆ２及び前記高湿潤排出ガスの流量Ｆ１を監視し、除湿装置３０内の乾燥状態を監視する。そして、この場合においても、前記同様の理由から前記流量の差分（Ｆ１−Ｆ２）を監視することが好ましい。
【００２５】
また、除湿装置３０内に供給するパージガスの流量Ｆ２、除湿装置３０への湿潤ガスの供給圧力、除湿装置３０の、高湿潤排出ガスの排出側、すなわち排出口３４近傍における圧力を制御することによって、除湿装置３０内の乾燥状態を制御することができる。具体的には、前記パージガスの流量Ｆ２を増大させる、あるいは前記湿潤ガスの供給圧力を増大させる、又は除湿装置３０の、乾燥ガス排出側の圧力を低下させると、除湿装置３０内部の乾燥状態を向上させることができる。
【００２６】
以上、発明の実施の形態に則して本発明を説明してきたが、本発明の内容は上記に限定されるものではなく、本発明の範疇を逸脱しない限りにおいて、あらゆる変形や変更が可能である。
【００２７】
【発明の効果】
以上説明したように、本発明によれば、トリチウム化水蒸気などの湿潤ガスを長期間に亘って安定して乾燥処理することが可能な簡易な除湿装置の駆動方法及び除湿装置システムを提供することができる。
【図面の簡単な説明】
【図１】本発明の除湿装置システムにおける除湿装置近傍の状態を示す構成図である。
【図２】図１に示す除湿装置の内部構造を詳細に示す構造図である。
【図３】本発明の除湿装置システムの変形例を示す構成図である。
【符号の説明】
１０、２０、３０  除湿装置
１１、１３、２１、２３、３１、３３  導入口
１２、１４、２２、２４、３２、３４  排出口
１５、３５、３６  露点計
１６、１７、２６、３７、３８  流量計
【図１】
2004188361.tif 000003
【図２】
2004188361.tif 000004
【図３】
2004188361.tif 000005